(57)【要約】【課題】  従来の防犯灯設備等の監視システムは、通報する方法として、通報ボタンによる発報という方法でしか対応ができなかった。【解決手段】  新たに音声検出センサ部を設け、音声ラインの間に組込むことによりある特定の音源にのみ反応し、外部へ信号を出力することであたかも「通報ボタン」等の発報手段が押されたかのように通報できるような運用を特徴とする。即ち、通報部と監視センタとを備え、通報部と監視センタとが相互通信が可能な伝送手段を有する監視システムにおいて、通報部にセンサを設け、センサが所定の刺激を感知することによって、監視センタと通信を開始する【選択図】  図１
2005301707.tif 000002
【特許請求の範囲】
【請求項１】
通報部と監視センタとを備え、該通報部と該監視センタと相互通信が可能な伝送手段を有する監視システムにおいて、
上記通報部にセンサを設け、該センサが所定の刺激を感知することによって、上記監視センタと通信を開始することを特徴とする監視システム。
【請求項２】
請求項１記載の監視システムにおいて、上記刺激は所定の周波数の音であることを特徴とする監視システム。
【請求項３】
請求項１または請求項２のいずれかに記載の監視システムにおいて、上記刺激が防犯ブザーの発生する音であることを特徴とする監視システム。
【発明の詳細な説明】
【技術分野】
【０００１】
本発明は、防犯灯設備等の監視システムにおける発報に関するものである。
【背景技術】
【０００２】
従来の防犯灯設備等の監視システムでの発報の方法は、通報者が必ず防犯灯設備等の監視システムの「通報ボタン」を押さないと監視センタ側（例えば、警察署側）に通報が伝わらない。防犯灯設備等の監視システムには、例えば、スーパー防犯灯や子ども緊急通報装置等がある（特許文献１参照。）。スーパー防犯灯や子ども緊急通報装置については、例えば、警視庁のホームページ（ http://www.keishicho.metro.tokyo.jp/seian/spbouhan/spbouhan.htm ）に記載がある。
【特許文献１】特開２００４−５６５０２号公報
【発明の開示】
【発明が解決しようとする課題】
【０００３】
緊急を要する人は近くに防犯灯設備等の監視システムの「通報ボタン」等の通報部（発報手段）があるとは限らず、また通報部まで移動する余裕もない状況下になる可能性がある。また、防犯灯設備等の監視システムの近くであっても、防犯灯設備等の監視システムの発報手段を起動できないように妨害されることもある。
このように、防犯灯設備等の監視システムの発報手段のボタンを押せる余裕が無い状況でも警察署等の連絡先へ通報がいくようであれば、事件の未然の防止や、事件の早期解決、早期対応に繋がる。
本発明の目的は、上記のように、防犯灯設備等の監視システムの発報手段のボタンが直接押せないような状況であっても、防犯灯設備等の監視システムの緊急通報機能を用いて、警察署の警察官等と通話できるか、あるいは、通報（または発報）できるようにすることにある。
【課題を解決するための手段】
【０００４】
上記の目的を達成するために、本発明の防犯灯設備等の監視システムは、新たに音声検出センサ部を設け、音声ラインの間に組込むことによりある特定の音源にのみ反応し、外部へ信号を出力することであたかも「通報ボタン」等の発報手段が押されたかのように通報できるような運用を特徴とするものである。
【０００５】
即ち、本発明の監視システムは、通報部と監視センタとを備え、通報部と監視センタとが相互通信が可能な伝送手段を有する監視システムにおいて、通報部にセンサを設け、センサが所定の刺激を感知することによって、監視センタと通信を開始するものである。
また、本発明の監視システムは、好ましくは、所定の刺激が所定の周波数の音であるものである。
また、本発明の監視システムは、好ましくは、撮像装置を備え、所定の刺激を感知した時には、撮像装置からの映像を監視センタに送信するかまたは記録するものである。
【０００６】
また、本発明の監視システムは、好ましくは、複数の監視システムと監視センタとがネットワークで接続されているものである。
また、本発明の監視システムは、好ましくは、所定の刺激が防犯ブザーの発生する音である。
また、本発明の監視システムは、好ましくは、少なくとも、音、特定の周波数の光、振動、電波、電磁波、磁気の１つあるいはそれらの組合わせである。
【発明の効果】
【０００７】
従来の防犯灯設備等の監視システムは、通報する方法として、通報ボタンによる発報という方法でしか対応ができなかった。しかし、本発明によれば、所定の音を受信した時にも通報することができ、通報者が通報ボタンを押す余裕が無い状況でも通報できるようになり、警察署等の監視センタ側は早く状況判断でき、事件や事故の未然防止や早期解決、早期対応ができる。
【発明を実施するための最良の形態】
【０００８】
本発明の防犯灯設備等の監視システムは、通報する方法として、通報ボタンによる発報という方法以外に、例えば、現行設備の一部に音声センサを付加する等により、ある特定の音声（例えば、防犯ブザー音）を受信できるセンサを備え、センサからの音情報によって防犯灯設備等の監視システムから緊急通報をするものである。センサ情報は、音情報以外、例えば、特定の周波数の光、振動、電波、電磁波、磁気あるいはそれらの組合わせでも良い。
【０００９】
本発明を表記した通報部の内部ブロック図を図１に示す。11 は監視センタ側（例えば、警察署）に通報を上げることができる通報ボタン、12 は周囲の音声を拾うためまたは通報者と会話するための集音マイク部、16 は音声や映像、及び制御信号を監視センタ側等に伝送し、また、監視センタ側からの音声、映像、文字情報等を受信するための映像・制御伝送部、17 は通報者の顔を撮影する顔カメラ、18 は通報部付近の状況を撮影するポール上に取付けられた防犯カメラ、14 は顔カメラ 17 、防犯カメラ 18 、通報ボタン 11 等の通報部の各種設備の制御を行うための制御部、13 は監視センタ側から通報者に対して呼びかける拡声スピーカ15 は周囲の音声を拾い、ある特定の音声が入ってきた場合のみ外部（例えば、制御部 14 ）に信号を出力する音声センサ部である。集音マイク部 12 は、例えば、音声センサでも良い。
【００１０】
従来の防犯灯設備等の監視システムは音声センサ部 15 が実装されておらず、通報するためには、必ず通報ボタン 11 を押す必要があった。
しかし本発明の防犯灯設備等の監視システムは、図１において、音声センサ部 15 を備えることにより、通報ボタン 11 からの発報以外に、音声情報からも通報を上げることができる。
【００１１】
例えば、ある小学校において、通学児童に同じ周波数の音波が出力される防犯ブザーを所持させ、通学路や校区内等で危険が迫った時に防犯ブザーを押すと、付近の防犯灯がその音波を感知して、監視センタ側に発報する。また同時に、防犯灯の非常ベルが鳴り響き、周囲に、緊急事態等の異常を知らせることができる。防犯カメラ 18 から取得した画像が監視センタ側でモニタされ、かつ、例えば、監視センタ側からの音声が流れ、不審者や犯罪者等の場合はその音声等によって犯行の引き止めを図る。
【００１２】
上記実施例では、防犯ブザーの発生する特定の周波数の音波によって、防犯灯設備等の監視システムが発報されたが、特定の周波数が複数の種類であってもどの種類かを監視センタ側で判別するようにすれば、例えば、どんな緊急事態かを早期に判別でき、パトカーや警察官の早期出動等に役立てることができる。
また、防犯ブザーに限らず、子供の声や女性の声、老人の声等によっても監視システムの発報手段を起動するようにしても良い。
また、音だけでなく、特定の周波数の光、振動、電波、電磁波、磁気あるいはそれらの組合わせでも良い。
【図面の簡単な説明】
【００１３】
【図１】本発明のシステムの一実施例の略構成を示すブロック図。
【符号の説明】
【００１４】
11：通報ボタン、  12：集音マイク部、  13：拡声スピーカ、  14：制御部、  15：音声センサ部、  16：映像・制御伝送部、  17：顔カメラ、  18：防犯カメラ部。
【図１】
2005301707.tif 000003